(57)【要約】【課題】  より操作性が向上した電子機器のスイッチを提供する。【解決手段】  十字入力等の押下入力操作と回動入力操作とが１つの部材で可能である回転部材と、回転部材の略中央に設けられた押下入力用のセンタースイッチ部材と備えている。さらに、センタースイッチ部材と回転部材を係合させることにより、センタースイッチ部材を押し上げるための弾性部材をセンタースイッチ部材の一部に設けるだけで、センタースイッチと回転部材の両方を上方に押し上げる力を与えることが可能となる。【選択図】  図２
2009070649.tif 000002
【特許請求の範囲】
【請求項１】
回転可能な回転部材と、
前記回転部材の略中央に位置され、ユーザにより押下操作されるセンタースイッチ部材と、
前記センタースイッチ部材を、押下方向とは逆方向に付勢する付勢部材とを有し、
前記付勢部材は、前記センタースイッチ部材を付勢すると共に、前記回転部材も付勢することを特徴とするスイッチ。
【請求項２】
前記センタースイッチ部材には、前記回転部材の一部と係合する係合部が設けられ、
前記付勢部材は、前記センタースイッチ部材を付勢すると共に、前記係合を介して前記回転部材を付勢することを特徴とする請求項１に記載のスイッチ。
【請求項３】
回転可能な回転部材と、
前記回転部材の略中央に位置されたセンタースイッチ部材であって、該センタースイッチ部材を押し下げ操作することにより、前記センタースイッチ部材の近傍に設けられたセンタースイッチを押下するセンタースイッチ部材と、
前記回転部材の近傍に設けられ、前記回転部材を押し下げ操作することにより押下される少なくとも１つのスイッチと、
前記センタースイッチ部材を、前記センタースイッチへの押下方向とは逆方向に付勢する付勢部材とを有し、
前記付勢部材は、前記スイッチ部材を付勢すると共に、前記回転部材を前記スイッチへの押下方向とは逆方向に付勢することを特徴とするスイッチ。
【請求項４】
前記センタースイッチ部材には、前記回転部材の一部と係合する係合部が設けられ、
前記付勢部材は、前記センタースイッチ部材を付勢すると共に、前記係合を介して前記回転部材を付勢することを特徴とする請求項３に記載のスイッチ。
【発明の詳細な説明】
【技術分野】
【０００１】
本発明は、回転部材と回転部材の略中央に位置されたセンタースイッチ部材から構成されるスイッチに関する。
【背景技術】
【０００２】
従来の電子機器の操作部材の一例としては、十字の方向の入力指示を行うことが可能な押下入力用のカーソル部と、このカーソル部の外周部分に回転方向と回転量を検出するジョグシャトル部とを一体的に配置したものがある（特許文献１）。しかし、このカーソル部とジョグシャトル部とは別の部材により構成されており、また、カーソル部は回転はしない。
【特許文献１】特開平１０−１９９１２４号公報
【発明の開示】
【発明が解決しようとする課題】
【０００３】
従来の操作部材には、特許文献１のように、省スペース化のために、十字の方向（上下左右の４方向）の入力を行うための押下入力用のスイッチ部材と、回転入力用の回転部材を同心円状に配置するものはあった。しかし、さらに省スペース化を図るためには、十字方向の入力操作と、回転入力操作が同一部材により可能としたほうがよい。また、回転入力及び十字方向の入力は、複数の選択項目の中から所望の項目を選択するのに用いられることが多い。そのため、十字方向の入力、回転入力を行うための部材の近傍に、選択の決定のためのスイッチ部材を設けたほうが項目の選択、決定の操作がスムーズに行えるようになる。
【０００４】
そこで本発明の目的は、押下入力操作と回動入力操作とが可能な回転操作部材と、回転操作部材の略中央に押下入力操作が可能な操作部材と備えた、より操作性が向上した電子機器のスイッチ機構を提供することにある。
【課題を解決するための手段】
【０００５】
上記の課題を解決するため、本発明のスイッチは以下の構成を備える。
【０００６】
回転可能な回転部材と、前記回転部材の略中央に位置され、ユーザにより押下操作されるセンタースイッチ部材と、前記センタースイッチ部材を、押下方向とは逆方向に付勢する付勢部材とを有し、前記付勢部材は、前記センタースイッチ部材を付勢すると共に、前記回転部材も付勢することを特徴とする。
【発明の効果】
【０００７】
以上説明したように、本発明のスイッチ機構は、押下入力操作と回動入力操作とが可能な回転操作部材と、回転操作部材の略中央に押下入力操作が可能な操作部材とを備えているため、より操作性が向上したスイッチを提供することができる。
【発明を実施するための最良の形態】
【０００８】
本発明のスイッチ機構について、図を参照して説明する。なお、本発明のスイッチは、電気機器の操作部材として、電気機器等に設けられている。ユーザは、スイッチを操作することにより複数の選択項目から所望の項目を選択したり、選択項目の決定を指示したりすることができる。
【０００９】
図１は本発明の実施形態に係るスイッチの外観図である。１はセンタースイッチ部材で、センタースイッチ部材を押下することにより、スイッチがＯＮ状態となるプッシュタイプのスイッチとして機能する。２は回転部材である。回転部材２が回転操作されると、それをエンコーダ３が検出し、回転に応じた出力を行うことで、回転角度や回転速度に応じてユーザからの指示を受け付けることができる。また、回転部材２は、塗りつぶし△マークの近傍の回転部材２部分を押下することにより、プッシュスイッチとしても機能する。また、センタースイッチ部材１は、本実施形態のスイッチ機構について図２の断面図および図３のセンタースイッチ部材の構成を示す断面図を参照して説明する。図３はセンタースイッチ部材１の一部として形成されている弾性部材１ｂの説明のため、他の部材は省略している。
【００１０】
３はエンコーダで、は回転部材の嵌合部２ａと回転可能に勘合しており、回転部材２の回転を検出する。４、５はタクトスイッチで、それぞれ、センタースイッチ１、回転部材２の近傍に設けられている。エンコーダ３およびタクトスイッチ４、５は、パターン配線が形成された基板６の上に配置され、電気機器の制御部であるＣＰＵと電気的に接続されている。センタースイッチ部材１および回転部材２への操作を、エンコーダ３、タクトスイッチ４、タクトスイッチ５が検出し、不図示のＣＰＵへ電気的に出力すると、ＣＰＵはスイッチからの入力に応じて、機器または装置の各部を制御する。
【００１１】
センタースイッチ部材は１、回転部材２の略中央に配置されており、回転部材２は、センタースイッチ部材を回転軸として、エンコーダ３と嵌合したまま回転する。センタースイッチ部材の一部は基板６に差し込まれており、回転部材２が回転しても、センタースイッチ部材は回転しないようになっている。また、センタースイッチ部材の基板６に差し込まれた部分１ｂは爪形状となっており、センタースイッチ部材１が基板６から抜けるのを防止している。
【００１２】
爪部１ｂおよび係合部１ｃの下方は面取りされているので、エンコーダ３、タクトスイッチ４、５が配置された基板６に回転部材２を組込み、その上方からセンタースイッチ部材１を差し込むことにより、このスイッチ機構を簡単に組立てることが可能である。
【００１３】
センタースイッチ部材１には弾性部材１ｄが設けられており、センタースイッチ部材１は基板とは逆方向（図３の黒い矢印方向）、つまり、センタースイッチ部材が操作されるときに押し下げられる方向と逆方向に付勢するための付勢部材として働く。そのため、図３（ａ）の状態からユーザがセンタースイッチ部材１を押下すると、センタースイッチ部材１は図３（ｂ）のように白い矢印方向に押し下げられて移動する。そして、ユーザが手を離し、押下状態を解除すると、センタースイッチ部材１は弾性部材１ｄの弾性力により爪部１ｂが基板と係合するまで押し上げられ、図３（ａ）の状態に戻る。この弾性部材１ｄは、センタースイッチ部材の一部として形成されており、図３の用に組み立てられることにより、ソリ変形してセンタースイッチ部材を図３の上方向に付勢するように働いている。
【００１４】
また、センタースイッチ部材１には係合部１ｃが設けられており、この係合部１ｃの上面が回転部材２の凹形状の係合部２ｃと係合可能な構成となっている。そのため、係合部１ｃと係合部２ｃを介して弾性部材１ｄからの弾性力を回転部材２も受けることが可能な構成となっている。係合部２ｃは、センタースイッチ部材１押圧時に回転部材２も一緒に押し込まれてしまわないように、係合部２ｃの隙間がセンタースイッチ部材１押圧時移動量よりも大きくなるように係合部２ｃが設けられている。また、爪部１ｂによりセンタースイッチ部材１が基板６から外れない構成になっており、さらに、センタースイッチ部材１の係合部１ｃの下面も回転部材２の係合部２ｃと係合する構成になっているのため、一度組み立てたら回転部材２も外れないようになっている。（係合部１ｃは下方が面取りされているため、センタースイッチ部材を組み立て時に回転部材２に差し込むことはできても、回転部材２から取り外すことはできない。また、凹形状の係合部２ｃの上部よりも下部の方が突出しているため、係合部１ｃの下部と係合部２ｃの下部が係合する。）
図４はセンタースイッチ部材１が押下された状態を示す図である。センタースイッチ部材１が操作されて押し下げられると、センタースイッチ部材１の一部である凸部１ａが、タクトスイッチ４に接触して、タクトスイッチを押し込み、タクトスイッチ４がＯＮ状態になる。これにより、センタースイッチが操作されたことを検出する。押下状態を解除すると、センタースイッチ部材１は弾性部材１ｄの弾性力で爪部１ｂが基板と係合するまで押し上げられて、センタースイッチ部材１は図１の元の位置に戻る。
【００１５】
図５は回転部材２が押し下げ操作された状態を示す図である。回転部材２が押下されると、回転部材の２ｂ部がタクトスイッチ５と接触してスイッチが押されることにより、回転部材２が押下されたことが検出される。回転部材２が押下されることにより、係合部１ｃ、２ｃを介してセンタースイッチ部材１にも力が伝わるため、センタースイッチ部材も多少押し下げられる。そのため、回転部材２が押下された場合に、センタースイッチ部材の１ａがタクトスイッチ４を押圧しないように、１ａとタクトスイッチ４の距離を十分にとっておく必要がある。例えば、図１の操作されていない状態において、回転部材２ｂとタクトスイッチ５との距離よりも、センタースイッチ部材１ａとタクトスイッチ４の距離のほうが大きくなるようにセンタースイッチ部材１および回転部材２を構成することが考えられる。
【００１６】
ユーザにより回転部材２が押下された後に、押下状態が解除され、押し下げ方向の力がかからなくなると、弾性部材１ｄの弾性力に押し下げ方向と逆方向に付勢されているセンタースイッチ部材１は図５中の上方に押し上げられ、元の位置（図１の位置）に戻る。このとき、弾性部材１ｄからの押し下げ方向と逆方向の力が係合部１ｃ、２ｃを介して回転部材２にもつたわるので、センタースイッチ部材１が元の位置に戻るのに連動して、センタースイッチ部材１と共に回転部材２も図１の元の位置に戻る。
【００１７】
本実施例では、回転部材の回転を検出する手段としてエンコーダを用いたが、他の部材を用いて回転部材の回転を検出しても良い。また、各部材への押下操作をタクトスイッチにより検出したが、他のプッシュスイッチを用いても良い。
【００１８】
弾性部材１ｄについては、スイッチ押下方向と逆方向にスイッチを加圧するための力を与えられるのもであれば何でも良い。板バネ、ゴム等を用いても良い。
【００１９】
このように、本実施例によると、弾性部材により押下方向と逆方向にセンタースイッチ部材を押し上げる構成を持つことで、振動等によりタクトスイッチがＯＮとなって誤動作をしてしまうことを防ぐことができる。また、回転部材は回転操作されるため上方に力を与えておかないと回転時に回転部材がタクトスイッチにあたり、スイッチがＯＮになってしまう可能性が高い。それに対し、回転部材にも上方向に弾性力が働く弾性体を設けることが考えられるが、回転部材は回転することと下方にタクトスイッチが設けられているため、上方に力を与えるための機構を形成するのは難しい。また、回転部材に弾性体を設けて、回転時に弾性体がタクトスイッチに当たらないようにするにはタクトスイッチの外周に弾性体を設けなくてはならず、回転部材自体が大きくなってしまう。それに対し、本実施例は、センタースイッチと回転部材を係合させることにより、センタースイッチ部材を押し上げる弾性部材をセンタースイッチ部材の一部に設けるだけで、センタースイッチと回転部材の両方を共に上方に押し上げる力を与えることが可能となる。
【図面の簡単な説明】
【００２０】
【図１】本発明の実施形態に係るスイッチの外観図である。
【図２】本発明の実施形態に係るスイッチの断面図である。
【図３】本発明の実施形態に係るセンタースイッチ部材の構成を説明するための図である。
【図４】本発明の実施形態に係るスイッチの断面図である。
【図５】本発明の実施形態に係るスイッチの断面図である。
【符号の説明】
【００２１】
１  センタースイッチ部材
２  回転部材
３  エンコーダ
４  タクトスイッチ
５  タクトスイッチ
６  基板
【図１】
2009070649.tif 000003
【図２】
2009070649.tif 000004
【図３】
2009070649.tif 000005
【図４】
2009070649.tif 000006
【図５】
2009070649.tif 000007